(57)【要約】【課題】キャッシュを表示させた状態でダウンロードアプリが起動された状態でも画面がフリーズすることを回避し、ＵＩＭカードが未装着であることをユーザに通知する。【解決手段】制御部１６が、所定データ記憶部１５に記憶された所定のデータに応じた動作を実行中、所定の選択動作が行われたときに、認証部１１による認証を行わせ、認証部１１での認証結果が所定の条件を満たす場合に第２機能実行部１３を起動し、所定の条件を満たさない場合に警告を行う。【選択図】図１
2008084079.tif 000002
【特許請求の範囲】
【請求項１】
認証を行う認証部と、
前記認証部での認証結果が所定の条件を満たす場合に起動が許可され、各種データに応じた動作を行う第１機能実行部と、
前記第１機能実行部の起動による前記各種データの動作中に行われる所定の選択動作により起動される第２機能実行部と、
前記第１の機能実行部によって動作される前記各種データのうちの所定のデータを記憶する所定データ記憶部と、
前記第１機能実行部および前記第２機能実行部の起動と、前記所定データ記憶部に記憶された所定のデータに応じた所定動作とを制御し、前記所定のデータに応じた前記所定動作を実行中、前記所定の選択動作が行われたときに、前記認証部による認証を行わせる制御部と、
を有することを特徴とする電子機器。
【請求項２】
前記制御部は、
前記所定データ記憶部に記載されている所定のデータに応じた前記所定動作を実行中、前記所定の選択動作が行われたとき、前記認証部での認証結果が前記所定の条件を満たす場合に前記第２機能実行部を起動する
ことを特徴とする請求項１記載の電子機器。
【請求項３】
前記制御部は、
前記所定データ記憶部に記載されている所定のデータに応じた前記所定動作を実行中、前記所定の選択動作が行われたときに、前記認証部での認証結果が前記所定の条件を満たさない場合に警告を行う
ことを特徴とする請求項１または２記載の電子機器。
【請求項４】
認証を行う認証部と、
前記認証部での認証結果が所定の条件を満たす場合に起動が許可され、各種データに応じた動作を行う第１機能実行部と、
前記第１機能実行部の起動による前記各種データの動作中に行われる所定の選択動作により起動される第２機能実行部と、
前記第１の機能実行部によって動作される前記各種データのうちの所定のデータを記憶する所定データ記憶部と、
前記第１機能実行部および前記第２機能実行部の起動と、前記所定データ記憶部に記憶された所定のデータに応じた所定動作とを制御し、前記所定のデータに応じた前記所定動作を行うときに前記認証部による認証を実行させ、前記認証部での認証結果が前記所定の条件を満たさない場合に、前記所定データに応じた前記所定動作中に行われる所定の選択動作を規制する制御部と、
を有することを特徴とする電子機器。
【請求項５】
前記制御部は、
前記所定データ記憶部に記憶されている所定のデータに応じた前記所定動作を実行しているときに前記第１機能実行部の起動を伴う選択動作が実施されると、前記認証部による認証結果が前記所定の条件を満たさない場合に、前記第１機能実行部の起動を規制する
ことを特徴とする請求項４記載の電子機器。
【請求項６】
表示部を更に備え、
前記第１機能実行部は、各種データに応じた画像を前記表示部に表示させ、前記制御部は、前記所定データ記憶部に記憶されている前記所定データに応じた画像を前記表示部に表示させることを特徴とする
請求項１乃至５のいずれか１項に記載の電子機器。
【請求項７】
通信部を更に備え、
前記第１機能実行部および前記第２機能実行部は、前記通信部を介して他の通信装置との通信を行う
ことを特徴とする請求項１乃至６のいずれか１項に記載の電子機器。
【請求項８】
前記第１機能実行部は、
前記他の通信装置から通信によって取得したデータ、もしくは前記所定データ記憶部に記憶されている前記所定データを前記表示部に表示させるプラウザアプリケーションプログラムを実行し、
前記第２機能実行部は、前記他の通信装置からデータを通信によって取得するダウンロードアプリケーションプログラムを実行する
ことを特徴とする請求項７記載の電子機器。
【請求項９】
前記制御部は、
前記所定データ記憶部に記憶されている所定のデータに応じた前記所定動作を実行しているときに、前記所定データ記憶部に記憶されている他のデータに応じた動作を実行させる場合には、前記認証部による認証結果に依存することなく前記他のデータに応じた動作を実行する
ことを特徴とする請求項１乃至８のいずれか１項に記載の電子機器。
【請求項１０】
前記制御部は、
前記所定データ記憶部に記憶されている所定のデータに応じた前記所定動作を実行しているときに、前記認証部による認証結果に応じて起動が許可される選択動作と許可されない選択動作とを区別して報知する
ことを特徴とする請求項１乃至９のいずれか１項に記載の電子機器。
【請求項１１】
認証部と、
前記認証部での認証結果が所定の条件を満たす場合に起動が許可され、各種データに応じた動作を行う第１機能実行部と、
前記認証部での認証結果が所定の条件を満たす場合に起動が許可される第３機能実行部と、
前記第１機能実行部によって動作される前記各種データのうち所定のデータを記憶する所定データ記憶部と、
前記第１機能実行部および前記第３機能実行部の起動と、前記所定データ記憶部に記憶されている前記所定データに応じた所定動作とを制御し、前記所定データ記憶部に記憶されている所定のデータに応じた前記所定動作を実行しているときに、前記第３機能実行部の起動を伴う選択動作を規制する制御部と、
を有することを特徴とする電子機器。
【請求項１２】
認証部での認証結果が所定の条件を満たす場合に第１機能の起動を許可し、各種データに応じた動作を行う第１のステップと、
前記第１機能の起動による前記各種データの動作中に行われる所定の選択動作により第２機能を起動する第２のステップと、
前記第１のステップによって動作される各種データのうち所定のデータを記憶する第３のステップと、
前記第３のステップで記憶された所定のデータに応じた所定動作を実行中、前記所定の選択動作が行われたときに、前記認証部での認証を行う第４のステップと、
前記第４のステップにおける認証結果が所定の条件を満たす場合に前記第２機能の起動を許可する第５のステップと、
を有することを特徴とする電子機器における認証方法。
【請求項１３】
認証部での認証結果が所定の条件を満たす場合に第１機能の起動を許可し、各種データに応じた動作を行う第１のステップと、
前記第１機能の起動による前記各種データの動作中に行われる所定の選択動作により第２機能を起動する第２のステップと、
前記第１のステップによって動作される各種データのうち所定のデータを記憶する第３のステップと、
前記第１機能が前記所定のデータに応じた所定動作を行うときに前記認証部での認証を行う第４のステップと、
前記第４のステップにおける認証結果が所定の条件を満たさない場合に、前記所定データに応じた前記所定動作中に行われる所定の選択動作を規制する第５のステップと、
を有することを特徴とする電子機器における認証方法。
【請求項１４】
認証部での認証結果が所定の条件を満たす場合に第１機能の起動を許可し、各種データに応じた動作を行う第１のステップと、
前記第１機能の起動による前記各種データの動作中に行われる所定の選択動作により第２機能を起動する第２のステップと、
前記第１のステップによって動作される各種データのうち所定のデータを記憶する第３のステップと、
前記第３のステップで記憶されている所定のデータに応じた所定動作を実行しているときに、前記第２機能の起動を伴う前記所定のデータを検出する第４のステップと、
前記第４のステップで検出された前記第２機能の起動を伴う前記所定のデータの選択動作を規制する第５のステップと、
を有することを特徴とする電子機器における認証方法。
【発明の詳細な説明】
【技術分野】
【０００１】
本発明は、認証を行う電子機器および電子機器における認証方法に関する。
【背景技術】
【０００２】
Ｗｅｂ（World Wide Web）等を介してネットワーク通信が可能な携帯通信端末は、アプリケーションプログラム（以下、単にアプリという）によって通信を開始した際には、アニメーションやアイコン等の点滅表示を用い、通信中であることをユーザに認識させている。上記したアプリの中には、ブラウザアプリ、ダウンロードアプリなどが含まれる。
【０００３】
ところで、ＵＩＭ（User Identity Module）カードは、携帯通信端末会社が発行する、契約者情報を記録したＩＣカードであり、携帯通信端末に差し込んで利用者の識別に使う。ＵＩＭカードは、同様の機能を持つＳＩＭ（Subscriber Identity Module）から機能拡張が行われ、契約者情報以外に、電話帳等のプライベートな情報やクレジット決済用の個人情報等も暗号化して登録することが可能である。
上記したＵＩＭカードが携帯通信端末に装着されていない場合は、携帯通信端末による通信を伴うアプリケーションの実行ができず、したがって、このことをユーザに通知するために警告表示を行う必要がある（例えば、特許文献１、２参照）。
【特許文献１】特開２００３−１８９３５７号公報
【特許文献２】特開２００４−６４６５７号公報
【発明の開示】
【発明が解決しようとする課題】
【０００４】
ブラウザはデータ通信を行うアプリケーションであり、通信が発生するときにブラウザ自らが上記した警告表示を行う。ただし、ブラウザは、Ｗｅｂを介して一旦外部のサーバから取得したデータを内部（キャッシュメモリ）に保存し、再度表示するときにサーバを介さずにデータを表示することのできるキャッシュ表示機能を備えている。このため、キャッシュ表示機能を用いた場合には通信が発生せず、したがって、警告表示をすることなく保存したデータ表示することができる。
一方、ダウンロードアプリは、上記したブラウザアプリの起動後に起動されるプログラム構造を有し、したがって、プラウザアプリ起動後の通信時にＵＩＭ認証が行われれば、このダウンロードアプリではＵＩＭ認証が不要である。
【０００５】
しかしながら、ブラウザアプリの起動によりキャッシュを表示させた状態で、ダウンロードリンクの選択等によりダウンロードアプリが起動された場合、ダウンロードアプリの起動時にはＵＩＭ認証が行われないため、ＵＩＭカード未装着時には所望のデータのダウンロードは行われず、したがって、ダウンロードアプリが起動されたままの状態になっており、ダウンロード画面がフリーズ（停止）することがある。
すなわち、図９に、ＵＩＭカード未装着時の携帯通信端末の画面遷移例が示されるように、音楽ダウンロード画面（図９（ｇ））に遷移した後は通信が発生しない状態が続き、結果として、ダウンロードの進捗が０％のまま画面が停止していた。なお、図８は、ＵＩＭカード装着時の携帯通信端末における画面遷移の例を示す。
【０００６】
本発明は上記した課題を解決するためになされたものであり、認証部での認証結果が所定の条件を満たす場合に起動される第１機能実行部によって各種データに応じた動作を行い、前記各種データのうちの記憶される所定のデータに応じた動作を行うことが可能な電子機器および電子機器における認証方法を提供することを目的とする。
【課題を解決するための手段】
【０００７】
本発明の第１の観点の電子機器は、認証を行う認証部と、前記認証部での認証結果が所定の条件を満たす場合に起動が許可され、各種データに応じた動作を行う第１機能実行部と、前記第１機能実行部の起動による前記各種データの動作中に行われる所定の選択動作により起動される第２機能実行部と、前記第１の機能実行部によって動作される前記各種データのうちの所定のデータを記憶する所定データ記憶部と、前記第１機能実行部および前記第２機能実行部の起動と、前記所定データ記憶部に記憶された所定のデータに応じた所定動作と、を制御し、前記所定のデータに応じた前記所定動作を実行中前記所定の選択動作が行われたときに、前記認証部による認証を行わせる制御部と、を有する。
【０００８】
また、本発明の第２の観点の電子機器は、認証を行う認証部と、前記認証部での認証結果が所定の条件を満たす場合に起動が許可され、各種データに応じた動作を行う第１機能実行部と、前記第１機能実行部の起動による前記各種データの動作中に行われる所定の選択動作により起動される第２機能実行部と、前記第１の機能実行部によって動作される前記各種データのうちの所定のデータを記憶する所定データ記憶部と、前記第１機能実行部および前記第２機能実行部の起動と、前記所定データ記憶部に記憶された所定のデータに応じた所定動作とを制御し、前記所定のデータに応じた前記所定動作を行うときに前記認証部による認証を実行させ、前記認証部での認証結果が前記所定の条件を満たさない場合に、前記所定データに応じた前記所定動作中に行われる所定の選択動作を規制する制御部と、を有する。
【０００９】
また、本発明の第３の観点の電子機器は、認証部と、前記認証部での認証結果が所定の条件を満たす場合に起動が許可され、各種データに応じた動作を行う第１機能実行部と、前記認証部での認証結果が所定の条件を満たす場合に起動が許可される第３機能実行部と、前記第１機能実行部によって動作される前記各種データのうち所定のデータを記憶する所定データ記憶部と、前記第１機能実行部および前記第３機能実行部の起動と、前記所定データ記憶部に記憶されている前記所定データに応じた所定動作とを制御し、前記所定データ記憶部に記憶されている所定のデータに応じた前記所定動作を実行しているときに、前記第２機能実行部の起動を伴う選択動作を規制する制御部と、を有する。
【００１０】
本発明の第４の観点の電子機器における認証方法は、認証部での認証結果が所定の条件を満たす場合に第１機能の起動を許可し、各種データに応じた動作を行う第１のステップと、前記第１機能の起動による前記各種データの動作中に行われる所定の選択動作により第２機能を起動する第２のステップと、前記第１のステップによって動作される各種データのうち所定のデータを記憶する第３のステップと、前記第３のステップで記憶された所定のデータに応じた所定動作を実行中、前記所定の選択動作が行われたときに、前記認証部での認証を行う第４のステップと、前記第４のステップにおける認証結果が所定の条件を満たす場合に前記第２機能の起動を許可する第５のステップと、を有する。
【００１１】
また、本発明の第５の観点の電子機器における認証方法は、認証部での認証結果が所定の条件を満たす場合に第１機能の起動を許可し、各種データに応じた動作を行う第１のステップと、前記第１機能の起動による前記各種データの動作中に行われる所定の選択動作により第２機能を起動する第２のステップと、前記第１のステップによって動作される各種データのうち所定のデータを記憶する第３のステップと、前記第１機能が前記所定のデータに応じた所定動作を行うときに前記認証部での認証を行う第４のステップと、前記第４のステップにおける認証結果が所定の条件を満たさない場合に、前記所定データに応じた前記所定動作中に行われる所定の選択動作を規制する第５のステップと、を有する。
【００１２】
また、本発明の第６の観点の電子機器における認証方法は、認証部での認証結果が所定の条件を満たす場合に第１機能の起動を許可し、各種データに応じた動作を行う第１のステップと、前記第１機能の起動による前記各種データの動作中に行われる所定の選択動作により第２機能を起動する第２のステップと、前記第１のステップによって動作される各種データのうち所定のデータを記憶する第３のステップと、前記第３のステップで記憶されている所定のデータに応じた所定動作を実行しているときに、前記第２機能の起動を伴う前記所定のデータを検出する第４のステップと、前記第４のステップで検出された前記第２機能の起動を伴う前記所定のデータの選択動作を規制する第５のステップと、を有する。
【発明の効果】
【００１３】
本発明によれば、認証部での認証結果が所定の条件を満たす場合に起動される第１機能により動作される各種データのうちの記憶される所定のデータに応じた動作を行う電子機器の機能動作を好適に行うことができる。
【発明を実施するための最良の形態】
【００１４】
図１は、本発明の実施の形態１〜３における電子機器の内部構成を示すブロック図である。ここでは、電子機器の一例として携帯通信端末が例示されている。なお、ここでは、携帯通信端末として携帯電話機について説明する。
本発明の実施形態１〜３にかかわる電子機器は、認証部１１と、第１機能実行部１２と、第２機能実行部１３と、第３機能実行部１４と、所定データ記憶部１５と、制御部１６と、表示部１７と、通信部１８と、鳴動部１９と、操作部２０と、ＵＩＭカード２１と、スピーカ２２と、バイブレータ２３とにより構成される。
【００１５】
認証部１１は、携帯通信端末に装着されるＵＩＭカード２１の機器への装着状態を判別する他、ＵＩＭカード２１に記憶された利用者情報に基づく認証を行い、その結果を制御部１５へ出力する。
また、第１機能実行部１２は、制御部１６によって起動されるブラウザアプリを実行し、第２機能実行部１３は、制御部１６によって起動されるダウンロードアプリ（以下、ＤＬアプリという）を実行し、第３機能実行部１４は、制御部１６によって起動されるＴＶ、ラジオ、メール等のアプリを実行する機能を持つ。なお、所定データ記憶部１５は、第１機能実行部１２によって動作される各種データのうちの所定のデータ（キャッシュ）を記憶する、いわゆるキャッシュメモリとして役割を持つ。
【００１６】
制御部１６は、携帯通信端末の制御中枢となり、認証部１１による認証結果が所定の条件を満たす場合に、第１機能実行部１２、第２機能実行部１３、あるいは第３機能実行部１４の起動を行い、また、所定データ記憶部１５に記憶された所定データに応じた、いわゆるキャッシュの内容に応じた動作も制御する。
また、表示部１７は、制御部１６による制御の下、後述する通信部１８を介してＷｅｂから取得したデータ、もしくは所定データ記憶部１５に記憶されているキャッシュに応じたデータを表示する他、ＵＩＭカードが未装着状態であることを示す警告表示も行う。また、通信部１８は、Ｗｅｂ等を介して他の通信装置（サーバ）と通信を行い、取得したデータを制御部１６に供給する機能を持つ。
【００１７】
なお、鳴動部１９は、スピーカ２２やバイブレータ２３を使用して、警告音やデータ再生を行う。また、操作部２０は、ユーザによって操作される、例えば、キースイッチであり、ここでは、メニュー選択のためにユーザによって操作されるキーデータが取得され、制御部１６に供給される。
【００１８】
上記した携帯通信端末は、具体的には、ＣＰＵと、メモリを含む周辺ＬＳＩとを有して構成され、認証部１１と、第１機能実行部１２と、第２機能実行部１３と、第３機能実行部１４と、制御中枢となる制御部１６とが持つ機能は、ＣＰＵがメモリに記録されたプログラムを逐次読み出し、実行することにより実現される。
また、表示部１７と、通信部１８と、鳴動部１９と、操作部２０と、ＵＩＭカード２１が持つ機能は、ＣＰＵによりプログラマブルに制御される周辺ＬＳＩによって実現され、図示せぬ入出力ポートを介して制御部１６を実現するＣＰＵに接続される。なお、所定データ記憶部１５は、メモリに割り付けられ記憶されるものとする。
【００１９】
以下、図１に示す本発明の実施の形態にかかわる電子機器の動作について、図２〜図４に示すフローチャート、および図５〜図７に示す画面遷移図を参照しながら詳細に説明する。
【００２０】
（実施の形態１）
図２は、本発明の実施の形態１にかかわる電子機器の動作を説明するために引用した動作フローチャートである。また、図５は、その場合のＵＩＭカード未装着時における画面遷移の一例を示す画面遷移図である。
以下、図２の動作フローチャート、図５の画面遷移図を参照しながら、図１に示す本発明の実施の形態１にかかわる電子機器の動作について詳細に説明する。
【００２１】
まず、携帯通信端末の表示部１７における表示画面には図５（ａ）に示す待受け画面が表示されており、ここで、ユーザが操作部２０を操作することによりＷｅｂメニューを起動したとする。そのとき、表示部１７に表示される画面は、待受け画面からＷｅｂメニュー画面に遷移する（Ｓ２０１）。図５（ｂ）にそのＷｅｂメニュー画面の一例が示されている。
続いて、Ｗｅｂメニュー画面を見たユーザが、操作部２０を操作してトップメニューを選択操作したとする（Ｓ２０２“トップ”）。これをうけて、制御部１６は、認証部１１に対してＵＩＭ認証を指示し、認証部１１からＵＩＭ認証の結果を取得し、判定する（Ｓ２０３）。ここでは、ＵＩＭカード２１が未装着の状態を想定しているため認証結果は不成立（Ｓ２０３“ＮＧ”）となっており、認証部１１から認証結果を取得した制御部１６は、表示部１７を制御し、図５（ｃ）に示すＵＩＭ警告表示（「ＵＩＭカードエラー」）を行う（Ｓ２０４）。
【００２２】
ちなみに、認証結果が成立している場合、即ち、ＵＩＭカード２１が装着され、かつユーザ情報(識別情報)の照合が行われた場合、制御部１６は、ブラウザアプリを起動して第１の機能実行部１２を動作させ、通信部１８を介したＷｅｂ接続を許可し（Ｓ２０５）、トップメニューを表示する画面に遷移する（Ｓ２０６）(図８（ａ）参照)。
【００２３】
一方、ステップＳ２０２において、ユーザが操作部２０を介して「前回画面表示」メニューを選択操作した場合（Ｓ２０２“前回”）、これをうけた制御部１６は、ブラウザアプリを起動して第１機能実行部１２によるキャッシュ表示を許可する（Ｓ２０７）。
このとき、制御部１６は、所定データ記憶部１５に記憶されたキャッシュの内容をチェックし（Ｓ２０８）、ダウンロードリンクページでなかった場合に（Ｓ２０８“Ｎｏ”）、表示部１７を制御してそのキャッシュの内容を表示する（Ｓ２０９）。ここで表示されるキャッシュの内容は、図５（ｄ）に例示されている。ここでは、「ニュース画面」とする。
【００２４】
続いて、制御部１６は、ユーザによるメニュー選択を待ち（Ｓ２１０）、例えば、「ニュース画面」のメニュー項目の中の「経済」が選択されるなどの操作部２０を介した選択操作があった場合（Ｓ２１０“Ｙｅｓ”）、制御部１６は、選択されたメニューのリンクに応じて通信部１８を介したＷｅｂ接続を行う前に認証部１１に対してＵＩＭ認証を指示し、認証部１１からＵＩＭ認証の結果を取得してその内容を判定する（Ｓ２１１）。
ここでは、ＵＩＭカード２１が未装着の状態を想定しているため、認証結果は不成立（Ｓ２１１“ＮＧ”）となっており、これをうけた制御部１６は、表示部１７を制御して、図５（ｅ）に示すＵＩＭ警告表示を行う（Ｓ２１３）。ちなみにＵＩＭカード２１が装着され認証が成立した場合は（Ｓ２１１“ＯＫ”）、ブラウザアプリを起動して第１の機能実行部による動作、即ち、通信部１８を介したＷｅｂ接続を許可する（Ｓ２１２）。
【００２５】
また、ステップＳ２０８において、キャッシュの内容がＤＬ（ダウンロード）リンクページであった場合（Ｓ２０８“Ｙｅｓ”）、制御部１６は、表示部１７を制御して図５（ｆ）に示すＤＬリンクページ（ここでは、「音楽ダウンロード画面」）を表示し（Ｓ２１４）、ユーザによるメニュー選択操作を待つ（Ｓ２１５）。
続いて、制御部１６は、ユーザが操作部２０を操作することによりメニュー選択した（図５（ｆ）の「音楽ダウンロード画面」における音楽メニュー１〜３のいずれか）ことを契機に、認証部１１にＵＩＭ認証を指示し、認証部１１からＵＩＭ認証の結果を取得し、判定する（Ｓ２１７）。ここで、ＵＩＭ認証が成立している、即ち、ＵＩＭ認証の結果が所定の条件を満たしている（例えば、ＵＩＭカードが装着されて、かつＵＩＭカードに記録されている識別情報の照合が成立している）場合（Ｓ２１６“ＯＫ”）、制御部１６は、ＤＬアプリを起動して第２の機能実行部１３を動作させ（Ｓ２１７）、通信部１８を介した他の通信サーバとの通信を行い、この通信サーバからデータのダウンロード処理を実行する。また、ＵＩＭ認証が不成立の場合、即ち、ＵＩＭ認証の結果が所定の条件を満たしていない場合（Ｓ２１６“ＮＧ”）、表示部１７を制御して、図５（ｇ）に示すＵＩＭ警告表示「ＵＩＭカードエラー」を行う（Ｓ２１８）。
【００２６】
上記した本発明の実施の形態１によれば、制御部１６が、所定データ記憶部１５に記憶された所定のデータに応じた動作を実行中、所定の選択動作が行われたときに認証部１１による認証を行わせ、認証部１１での認証結果が所定の条件を満たす場合に第２機能実行部１３を起動し、所定の条件を満たさない場合に警告を行うことで、具体的には、キャッシュを表示させた状態で、ダウンロードリンクの選択等によりＤＬアプリが起動される状態においてもＵＩＭ認証を行うことにより、画面がフリーズすることを回避し、ＵＩＭ未装着であることをユーザに通知することができる
また、従来は、待受け画面からＷｅｂメニューを起動した時点でＵＩＭ認証を行って、ＵＩＭ認証が不成立の場合にＵＩＭ警告を表示していたため、キャッシュ表示のように通信が発生しない操作も含めてユーザ操作を制限していたが、本発明の実施の形態１によれば、所定データ記憶部１５にキャッシュしたデータに応じた動作については実際に通信が発生する直前までユーザ操作が可能となり、したがって、操作制限範囲を小さくすることができる。
【００２７】
（実施の形態２）
図３は、本発明の実施の形態２にかかわる電子機器の動作を説明するために引用した動作フローチャートである。また、図６は、その場合のＵＩＭカード未装着時における画面遷移の一例を示す画面遷移図である。
以下、図３の動作フローチャート、図６の画面遷移図を参照しながら、図１に示す本発明の実施の形態２にかかわる電子機器の動作について詳細に説明する。
【００２８】
まず、携帯通信端末には図６（ａ）に示す待受け画面が表示されており、ここで、ユーザが操作部２０を操作することによりＷｅｂメニューを起動したとする。そのとき、表示部１７に表示される画面は、待受け画面からＷｅｂメニュー画面に遷移する（Ｓ３０１）。図６（ｂ）にそのＷｅｂメニュー画面の一例が示されている。
続いて、Ｗｅｂメニュー画面を見たユーザが、操作部２０を操作してトップメニューを選択操作したとする（Ｓ３０２“トップ”）。これをうけて、制御部１６は、認証部１１に対して認証を指示し、認証部１１からＵＩＭ認証の結果を取得し、判定する（Ｓ３０３）。
【００２９】
ここでは、ＵＩＭカード２１が未装着の状態を想定しているため認証結果は不成立（所定の条件を満たしていない）となっており（Ｓ３０３“ＮＧ”）、認証部１１から認証結果を取得した制御部１６は、表示部１７を制御し、図６（ｃ）に示すＵＩＭ警告表示（「ＵＩＭカードエラー」）を行う（Ｓ３０４）。ちなみに、認証結果が成立している（所定の条件を満たしている）場合、制御部１６は、ブラウザアプリを起動して第１の機能実行部１２を動作させ、通信部１８を介したＷｅｂ接続を許可し（Ｓ３０５）、トップメニューを表示する画面に遷移する（Ｓ３０６）。
以上の動作は、図２に示す実施の形態１と同様である。
【００３０】
一方、ステップＳ３０２において、ユーザが操作部２０を介して「前回画面表示」のメニューを選択操作した場合（Ｓ３０２“前回”）、制御部１６は、ブラウザアプリを起動して第１機能実行部１２により所定データ記憶部１５に記憶されたキャッシュデータ（所定データ）に応じた表示を行う。ここで表示されるキャッシュ内容は、図６（ｄ）に例示されている「ニュース」画面となる。
そして、これを受けた制御部１６は、キャッシュ表示を行う前に、認証部１１に対して認証を指示し、認証部１１からＵＩＭ認証の結果を取得し、判定する（Ｓ３０７）。
ここで、ＵＩＭ認証が成立している場合（Ｓ３０７“ＯＫ”）、制御部１６は、ブラウザアプリを起動して第１機能実行部１２による通常のキャッシュ表示を行う。その後は、キャッシュ表示される「ニュース」画面中のメニュー項目の選択に応じて通信部１８を介したＷｅｂ接続などが実施される。
【００３１】
ＵＩＭ認証が成立していない(認証結果が所定の条件を満たしていない)場合（Ｓ３０７“ＮＧ”）、キャッシュ表示される「ニュース」画面の中のメニュー項目の判定を行う（Ｓ３０９）。制御部１６は、このメニュー項目の判定において、キャッシュリンクの有無とＤＬリンクの有無を判定する。
まず、キャッシュリンクの有無判定は、キャッシュ表示される「ニュース」画面を構成する各メニュー項目の中でキャッシュ表示可能なメニュー項目があるか否かを判定する。ここでは、Ｗｅｂ接続のためのリンクが付与されているメニュー項目に対して、このメニュー項目のリンク先のデータ（具体的には画面データ）が所定データ記憶部１５に記憶されているかが判定される。なお、リンク先のデータが所定データ記憶部１５に記憶されている場合、そのメニュー項目が選択されたときにＷｅｂ接続しなくとも所定データ記憶部１５に記憶されているデータを表示することができる。
【００３２】
続いて、制御部１６は、キャッシュ表示される「ニュース」画面が構成する各メニュー項目の中にＤＬアプリの起動を伴ってダウンロード処理を行うＤＬリンクが付与されているメニュー項目があるか否かを判定する。
次に、制御部１６は、ステップＳ３０９での判定結果に基づき、キャッシュ表示される「ニュース画面」を構成するメニュー項目のうち、キャッシュ表示可能なキャッシュリンクが付与されていないメニュー項目があるか、またはＤＬリンクが付与されているメニュー項目があるかを判定する（Ｓ３１１）。
全てのメニュー項目が、キャッシュリンクが付与されて所定データ記憶部１５に記憶されているキャッシュ（所定のデータ）に応じてキャッシュ表示できるメニュー項目であり、ＤＬリンクが付与されたメニュー項目ではない場合、ステップＳ３１３に進み、通常のキャッシュ表示を行う。
【００３３】
また、全てのメニュー項目のうち、キャッシュ表示できないメニュー項目が含まれていたり、ＤＬリンクが付与されたメニュー項目が含まれる場合には、ステップＳ３１２に進み、ステップＳ３１３での通常キャッシュ表示に対してメニューの選択操作（選択動作）を規制するために、例えば、図６（ｄ）または図６（ｆ）に網掛けで示すように、これらキャッシュ表示非対応のメニュー項目やＤＬリンク付与のメニュー項目をグレースケール表示する。メニュー項目がグレースケール表示されると、画面上にメニュー項目がグレー色により表示されるが選択動作が不可能とされる。なお、全てのメニュー項目の中でキャッシュ表示可能なメニュー項目が含まれる場合、このキャッシュ表示可能なメニュー項目がグレースケール表示でなはなく、通常の表示が行われて、選択動作が可能とされる。
【００３４】
このように、所定データ記憶部１５に記憶されたキャッシュの内容に応じてキャッシュ表示させる場合に、ＵＩＭ認証が成立しないときには、キャッシュ表示される画面のメニュー項目のうち所定データ記憶部１５に記憶されている別のキャッシュデータに応じて表示可能なメニュー項目を通常に表示して選択可能とし、別のキャッシュデータに応じて表示不可能なメニュー項目またはＤＬリンクの付与によってＤＬアプリの起動を伴うメニュー項目をグレースケール表示して選択操作不可として選択動作を規制することによって、ＵＩＭ認証の成立を必要とするＷｅｂ接続やＤＬアプリの起動を伴うメニュー項目が選択動作不能となり、ユーザはメニュー項目の選択の可否を認識して、ＵＩＭ認証が不成立であっても、キャッシュ表示可能なメニュー項目が選択可能であってキャッシュ表示することが可能であるため、ユーザに対する使い勝手を向上できる。
なお、メニュー項目がブラウザアプリの起動によってＷｅｂ接続を伴うメニュー項目であるか否かを判定し、Ｗｅｂ接続を伴うメニュー項目をグレースケール表示して選択操作不能として選択動作を規制するようにしてもよい。
【００３５】
続いて制御部１６は、ユーザによるメニューの選択操作を待って（Ｓ３１４）、メニュー選択があった場合に（Ｓ３１４“Ｙｅｓ”）、ブラウザを起動して第１の機能実行部１２により、所定データ記憶部１５に記憶されている他のキャッシュデータに応じたキャッシュ表示を行う（Ｓ３１５）。
ここでは、図６（ｄ）に示すように、「ニュース」画面がキャッシュ表示されている場合に選択操作が規制されていないキャッシュ表示可能な「最新ニュース画面」のメニュー項目が選択されて、他のキャッシュデータに応じてキャッシュ表示されている状態を図６（ｅ）に示す。図６（ｄ）に示す「ニュース画面」のうち、グレースケール表示されたメニュー（「経済」、「スポーツ」）についてはリンク先の画像データが所定データ記憶部１５に記憶されておらず、Ｗｅｂ接続を伴うこととなり、グレースケール表示によって選択動作が規制されているため、選択操作がされることなく、表示されることはない。
【００３６】
また、ステップＳ３０２において、「前画面表示」メニューの選択操作により表示されるキャッシュの内容がＤＬリンクページである場合、例えば図６（ｆ）に例示される「音楽ダウンロード」画面が表示される場合、この「音楽ダウンロード」画面を構成するメニュー項目がＤＬアプリが起動してダウンロード処理を伴うメニュー項目であるため、ステップＳ３１１の「Ｙｅｓ」判定によって、ステップＳ３１２に進み、ＤＬアプリの起動を伴うメニュー項目をグレースケール表示して、選択操作を不可として選択動作が規制される。ここでは、図６（ｆ）に示される「音楽ダウンロード」画面の全てのメニュー項目(「音楽１」、「音楽２」、「音楽３」)がＤＬアプリの起動を伴うメニューであるため、グレースケール表示によって選択操作が不可とされて選択動作が規制される。
【００３７】
上記した本発明の実施の形態２によれば、制御部１６が、所定データ記憶部１５に記憶された所定のデータを表示するときに、認証部１１による認証を実行させ、当該認証部１１での認証結果が不成立の場合に、第１機能実行部１２によるキャッシュ表示中に行われる選択動作を規制することで、具体的には、ブラウザアプリの起動によりキャッシュを表示させた状態で、ＤＬアプリの起動を要するメニューを選択不可とすることで、画面がフリーズすることを回避し、ＵＩＭ未装着であることをユーザに通知することができる。
このとき、ユーザは、他のキャッシュデータに応じてキャッシュ表示できないメニュー項目やＷｅｂ接続を伴うＤＬアプリの起動を要するメニュー項目がグレースケール表示等、他と区別して表示されることにより、ユーザにＵＩＭ未装着状態であることを認識させることができる。選択操作が不可とされることにより、選択操作が可能である場合に発生するＵＩＭ警告表示（ＵＩＭカードエラー）することは不要となる。このため、第２機能実行部１３の負荷が軽減される。
また、ユーザに対する警告表示の頻度を軽減できるため、警告表示によりユーザに宛てる違和感（わずらわしさ）を軽減できる。
【００３８】
また、制御部１６が、所定データ記憶部１５に記憶されている所定のデータに応じた動作を実行しているときに、認証部１１による認証結果が所定の条件を満たさない場合に、第１機能実行部の１２起動を伴う選択動作を規制することにより、ユーザは、選択動作の規制によりＵＩＭ認証の不成立(未装着)を認識できる。
更に、制御部１６が、所定データ記憶部１５に記憶されている所定のデータに応じた動作を実行しているときに、所定データ記憶部１５に記憶されている他のデータに応じた動作を実行させる場合には、認証部１１による認証結果に依存することなく他のデータに応じた動作を実行可能とすることにより、他のデータに応じた動作を実行可能なメニューを識別することができ、使い勝手を向上させることができ、認証が重複実行されることを回避でき、所定データ記憶部１５の記憶容量が大きい場合の処理効率の向上がはかれる。
【００３９】
（実施の形態３）
図４は、本発明の実施の形態３にかかわる電子機器の動作を説明するために引用した動作フローチャートである。また、図７は、その場合のＵＩＭカード未装着時における画面遷移の一例を示す画面遷移図である。
以下、図４のフローチャート、ならびに図７の画面遷移図を参照しながら、図１に示す本発明の実施の形態３にかかわる電子機器の動作について詳細に説明する。
【００４０】
まず、携帯通信端末の画面には図７（ａ）に示す待受け画面が表示されており、ここで、ユーザが操作部２０を操作することによりＷｅｂメニューを起動したとする。そのとき、表示部１７に表示される画面は、待受け画面からＷｅｂメニュー画面に遷移する（Ｓ４０１）。図７（ｂ）にそのＷｅｂメニュー画面の一例が示されている。
続いて、Ｗｅｂメニュー画面を見たユーザが、操作部２０を操作してトップメニューを選択操作したとする（Ｓ４０２“トップ”）。これをうけて、制御部１６は、認証部１１に対して認証を指示し、認証部１１からＵＩＭ認証の結果を取得し、判定する（Ｓ４０３）。
【００４１】
ここでは、ＵＩＭカード２１が未装着の状態を想定しているため認証結果は不成立（Ｓ４０３“ＮＧ”）となっており、認証部１１から認証結果を取得した制御部１６は、表示部１７を制御し、図７（ｃ）に示すＵＩＭ警告表示（「ＵＩＭカードエラー」）を行う（Ｓ４０４）。ちなみに、認証結果が成立している場合、制御部１６は、ブラウザアプリを起動して第１の機能実行部１２を動作させ、通信部１８を介したＷｅｂ接続を許可し（Ｓ４０５）、トップメニューを表示する画面に遷移する（Ｓ４０６）。
以上の動作は、図２、図３に示す実施の形態１、実施の形態２の動作と同様である。
【００４２】
一方、ステップＳ４０２において、ユーザが操作部２０を介して「前回画面表示」のメニュー項目を選択操作した場合（Ｓ４０２“前回”）、制御部１６は、ブラウザアプリを起動して第１機能実行部１２により所定データ記憶部１５に記憶されたキャッシュデータ(所定データ)に応じた表示を行う。ここで表示されるキャッシュ内容は、図７(ｄ）に例示されている「番組ニュース」画面、あるいは図７(ｅ）に例示される「新製品ニュース」画面とする。
そして、これを受けた制御部１６は、キャッシュ表示を行う前に、認証部１１に対して認証を指示し、認証部１１からＵＩＭ認証の結果を取得し、判定する（Ｓ４０７）。
ここで、ＵＩＭ認証が成立している場合(Ｓ４０７“ＯＫ”)、制御部１６は、ブラウザアプリを起動して第１機能実行部１２による通常のキャッシュ表示を行う（Ｓ４１２）。その後は、キャッシュ表示される「番組ニュース」画面や「新製品ニュース」画面中のメニュー項目の選択に応じて通信部１８を介したＷｅｂ接続などやＴＶ、ラジオ、メールアプリなどの第３機能実行部１４の起動を伴うアプリの動作処理が実施される。
【００４３】
ＵＩＭ認証が成立していない(認証結果が所定の条件を満たしていない)場合（Ｓ４０７“ＮＧ”)、キャッシュ表示される「番組ニュース」画面や「新製品ニュース」画面の中のメニュー項目の判定を行う（Ｓ４０８）。制御部１６は、キャッシュ表示される画面を構成するメニュー項目が、ＴＶアプリやラジオアプリやメールアプリの起動を伴うメニュー項目(例えば、第３機能実行部１４を動作させるためのトリガとなる、ＴＶ起動ボタン、ラジオ起動ボタン、メールアドレス)であるか否かを判定する。
そして、ステップＳ４０９にて、ステップＳ４０８での判定結果に応じて、キャッシュ表示される画面のメニュー項目にＴＶアプリやラジオアプリやメールアプリの起動を伴うメニュー項目が含まれるか否かを判定し、ＴＶアプリやラジオアプリやメールアプリの起動を伴うメニュー項目が含まれない場合（Ｓ４０９“Ｎｏ”)、ステップＳ４１１に進み、通常のキャッシュ表示を行い、各メニュー項目が選択可能とされる。
【００４４】
ステップＳ４０９にて、キャッシュ表示される画面のメニュー項目にＴＶアプリやラジオアプリやメールアプリの起動を伴うメニュー項目が含まれると判定された場合(S４０９“Ｙｅｓ”)、ＴＶアプリやラジオアプリやメールアプリの起動を伴うメニュー項目（第３機能実行部１４を動作させるためのトリガとなる、ＴＶ起動ボタン、ラジオ起動ボタン、メールアドレス)をグレースケール表示として、ユーザによる選択操作を不可となるように表示部１７を制御して選択動作が規制される。
【００４５】
上記した本発明の実施の形態３によれば、制御部１６が、所定データ記憶部１５に記憶された所定のデータを表示するときに、ユーザにＵＩＭカードの未装着などによるＵＩＭ認証の不成立を認識させることができ、第３機能実行部１４の動作を伴う選択動作を規制することにより、画面がフリーズすることなどのＵＩＭ認証の不成立時のＴＶアプリやラジオアプリやメールアプリの起動による不具合を回避したり、この起動に伴うユーザへの警告のわずらわしさ軽減させることができる。
また、ユーザは、ＴＶアプリ、ラジオアプリの起動を要するボタン、あるいは画面表示されたメールアドレスがグレースケール表示等、他と区別して表示されることでＵＩＭ未装着状態であることを認識でき、このため、別途ＵＩＭ警告表示（ＵＩＭカードエラー）を行うことは不要となる。このため、第３機能実行部１４の負荷が軽減される。
【００４６】
なお、図２〜図４のフローチャートには、本発明の電子機器における認証方法が有する各ステップ（工程）も合わせて示されており、この各ステップは、具体的には、制御部１６を構成するＣＰＵの処理手順が相当する。
【００４７】
すなわち、本発明の実施の形態１において、電子機器は、認証部１１と、認証部１１での認証結果が所定の条件を満たす場合に起動が許可され、各種データに応じた動作を行う第１機能実行部１２と、第１機能実行部１２の起動による各種データの動作中に行われる所定の選択動作により起動される第２機能実行部１３と、第１機能実行部１２によって動作される各種データのうち所定のデータを記憶する所定データ記憶部１５と、第１機能実行部１２および第２機能実行部１３の起動と、所定データ記憶部１５に記憶された所定のデータに応じた動作と、を制御する制御部１６と、を有するものとし、制御部１６は、所定データ記憶部に記憶された所定のデータに応じた動作を実行中、所定の選択動作が行われたときに、認証部１１に認証を行わせる第１のステップ（図２のＳ２０７、Ｓ２０８、Ｓ２１５〜Ｓ２１６）と、第１のステップにおける認証結果が所定の条件を満たす場合に第２機能実行部１３の起動を許可し、所定の条件を満たさない場合に警告を行う第２のステップ（Ｓ２１７、Ｓ２１８）と、を実行するものである。
【００４８】
また、本発明の実施の形態２において、電子機器は、認証部１１と、認証部１１での認証結果が所定の条件を満たす場合に起動が許可され、各種データに応じた動作を行う第１機能実行部１２と、第１機能実行部１２の起動による各種データの動作中に行われる所定の選択動作により起動される第２機能実行部１３と、第１機能実行部１２によって動作される各種データのうち所定のデータを記憶する所定データ記憶部１５と、第１機能実行部１２および第２機能実行部１３の起動と、所定データ記憶部１５に記憶された所定のデータに応じた動作と、を制御する制御部１６と、を有するものとし、制御部１６は、第１機能実行部１２が所定データ記憶部１５に記憶されている所定のデータに応じた動作を行うときに認証部１１による認証を行わせる第１のステップ（図３のＳ３０８〜Ｓ３１０、Ｓ３１６）と、第１のステップにおける認証結果が所定の条件を満たさない場合に、所定データに応じた動作中に行われる所定の選択動作を規制する第２のステップ（Ｓ３１７、Ｓ３１８）と、を実行するものである。
【００４９】
また、本発明の実施の形態３において、電子機器は、認証部１１と、認証部１１での認証結果が所定の条件を満たす場合に起動が許可され、各種データに応じた動作を行う第１機能実行部１２と、認証部１１での認証結果が所定の条件を満たす場合に起動が許可される第３機能実行部１４と、第１機能実行部１２によって動作される各種データのうち所定のデータを記憶する所定データ記憶部１５と、第１機能実行部１２および第３機能実行部１４の起動と、所定データ記憶部１５に記憶された所定のデータに応じた動作とを制御する制御部１６と、を有するものとし、このうち、制御部１６は、所定データ記憶部に記憶されている所定のデータに応じた動作を実行しているときに、第３機能実行部の起動を伴う所定のデータを検出する第１のステップ（図４のＳ４０８、Ｓ４０９）と、第１のステップで検出された第３機能実行部の起動を伴う所定のデータの選択動作を規制するステップ（Ｓ４１０、Ｓ４１１）と、を実行するものである。
【００５０】
以上説明のように本発明の電子機器および電子機器における認証方法によれば、ブラウザアプリの起動によりキャッシュに記憶されているデータを表示させた状態で、ダウンロードアプリが起動された場合に認証を行うことで、画面がフリーズすることを回避し、ＵＩＭ未装着であることをユーザに通知することができるものである。
なお、上記した本発明の実施の形態１〜３によれば、ＵＩＭ警告は表示するものとして説明したが、他に、スピーカ２２やバイブレータ２３を用いて鳴動部１９を駆動することによって代替してもよい。また、本発明の実施の形態２、３によれば、メニュー選択操作を制限するためにグレースケール表示する例についてのみ説明したが、他に、強調表示、色分け表示、点滅表示等、通常表示と区別して表示すればどのような表示方法でも代替できる。
また、上述した実施形態では、第１機能実行部１２がブラウザアプリを実行し、第２機能実行部１３がダウンロードアプリを実行し、第３機能実行部１４がＴＶ、ラジオ、メールなどのアプリを実行する構成としたが、これらアプリに限定されることなく、その他のアプリを実行するように構成しても良い。ただし、第１機能実行部、第２機能実行部、および第３機能実行部の間の関係は上述した実施形態と同様の関係となる。
【００５１】
なお、本発明の実施の形態１〜３において、本発明の電子機器として携帯通信端末を例示したが、携帯通信端末としての携帯電話やＰＤＡ（Personal Digital Assistants）の他に、ＰＣ（Personal Computer）やゲーム機などの電子機器に適用しても同様の効果が得られる。
【図面の簡単な説明】
【００５２】
【図１】本発明の実施の形態１〜３における電子機器の内部構成を示すブロック図である。
【図２】本発明の実施の形態１にかかわる電子機器の動作を説明するために引用した動作フローチャートである。
【図３】本発明の実施の形態２にかかわる電子機器の動作を説明するために引用した動作フローチャートである。
【図４】本発明の実施の形態３にかかわる電子機器の動作を説明するために引用した動作フローチャートである。
【図５】本発明の実施の形態１にかかわる電子機器のＵＩＭカード未装着時における画面遷移の一例を示す図である。
【図６】本発明の実施の形態１にかかわる電子機器のＵＩＭカード未装着時における画面遷移の一例を示す図である。
【図７】本発明の実施の形態１にかかわる電子機器のＵＩＭカード未装着時における画面遷移の一例を示す図である。
【図８】従来の電子機器のＵＩＭカード装着時における画面遷移の一例を示す図である。
【図９】従来の電子機器のＵＩＭカード未装着時における画面遷移の一例を示す図である。
【符号の説明】
【００５３】
１１…認証部、１２…第１機能実行部、１３…第２機能実行部、１４…第３機能実行部、１５…所定データ記憶部、１６…制御部、１７…表示部、１８…通信部、１９…鳴動部、２０…操作部、２１…ＵＩＭカード、２２…スピーカ、２３…バイブレータ。
【図１】
2008084079.tif 000003
【図２】
2008084079.tif 000004
【図３】
2008084079.tif 000005
【図４】
2008084079.tif 000006
【図５】
2008084079.tif 000007
【図６】
2008084079.tif 000008
【図７】
2008084079.tif 000009
【図８】
2008084079.tif 000010
【図９】
2008084079.tif 000011